(57)【要約】【課題】開口部を開放したライブビューの状態になり得るフォーカルプレンシャッタにおいて、アクチュエータの数を減少させた構成とする。【解決手段】フォーカルプレンシャッタにおいて、露光用の開口部を有する地板と、前記開口部の開閉状態を切り替えるよう動作可能な先羽根及び後羽根と、前記先羽根を駆動する先羽根駆動部と、前記後羽根を駆動する後羽根駆動部と、レリーズ時に前記先羽根駆動部及び前記後羽根駆動部の動作を開始させるレリーズレバーと、前記レリーズレバーの動作を規制するよう係止するレリーズレバー係止部と、前記開口部が開いた状態になるよう前記先羽根駆動部の動作を規制するよう係止する先羽根係止部と、前記レリーズレバー係止部及び前記先羽根係止部を駆動するアクチュエータと、を備える構成とする。【選択図】図１
2019056891.tif 000002
【特許請求の範囲】
【請求項１】
露光用の開口部を有する地板と、
前記開口部の開閉状態を切り替えるよう動作可能な先羽根及び後羽根と、
前記先羽根を駆動する先羽根駆動部と
前記後羽根を駆動する後羽根駆動部と、
レリーズ時に前記先羽根駆動部及び前記後羽根駆動部の動作を開始させるレリーズレバーと、
前記レリーズレバーの動作を規制するよう係止するレリーズレバー係止部と、
前記開口部が開いた状態になるよう前記先羽根駆動部の動作を規制するよう係止する先羽根係止部と、
前記レリーズレバー係止部及び前記先羽根係止部を駆動するアクチュエータと、を備える、
フォーカルプレンシャッタ。
【請求項２】
前記アクチュエータは、前記レリーズレバー係止部と前記先羽根係止部とを同時に駆動する、
請求項１に記載のフォーカルプレンシャッタ。
【請求項３】
前記アクチュエータは、回動の中心となる回転軸を有し、
前記レリーズレバー係止部及び前記先羽根係止部は、前記回転軸を中心に回動する、
請求項１に記載のフォーカルプレンシャッタ。
【請求項４】
前記レリーズレバー係止部及び前記先羽根係止部は、それぞれ前記アクチュエータから腕状に延びる部材であって、
前記レリーズレバー係止部と前記先羽根係止部とは、前記回転軸の延びる方向で異なる位置に配置される、
請求項３に記載のフォーカルプレンシャッタ。
【請求項５】
請求項１から請求項４のいずれか１項に記載のフォーカルプレンシャッタを備える撮像装置。
【発明の詳細な説明】
【技術分野】
【０００１】
本発明の一態様は、カメラなどの撮像装置などに用いられるフォーカルプレンシャッタなどに関する。
【背景技術】
【０００２】
羽根群によって開口部（画枠）を開閉することで撮像素子またはフィルムに対する露光を行うフォーカルプレンシャッタでは、レリーズ前に羽根をばね等の付勢力に抗って係止し、レリーズに係止を解除することで羽根を走行させる構成のものがある。また、開口部を全開にした状態を維持するため、ばね等の付勢力に抗って先羽根を係止し、先羽根の動作を規制する構成のものがある。実施形態１には、このような構成のフォーカルプレンシャッタが開示されている。
【先行技術文献】
【特許文献】
【０００３】
【特許文献１】特開２０１５−１２５２９８号公報
【発明の概要】
【発明が解決しようとする課題】
【０００４】
しかしながら、上記従来の構成のフォーカルプレンシャッタでは、レリーズ前に羽根を係止する構成と、開口部を全開した状態を維持するために先羽根を係止する構成とを別構成としており、それぞれを動作させるためのアクチュエータを備える必要があった。これにより、構成が複雑になったり、部品の増加により装置のコストが高くなってしまったりする場合があった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
露光用の開口部を有する地板（１）と、
前記開口部の開閉状態を切り替えるよう動作可能な先羽根（２）及び後羽根（３）と、
前記先羽根を駆動する先羽根駆動部（７）と
前記後羽根を駆動する後羽根駆動部と、
レリーズ時に前記先羽根駆動部及び前記後羽根駆動部の動作を開始させるレリーズレバー（６）と、
前記レリーズレバーの動作を規制するよう係止するレリーズレバー係止部（５ａ）と、
前記開口部が開いた状態になるよう前記先羽根駆動部の動作を規制するよう係止する先羽根係止部（５ｂ）と、
前記レリーズレバー係止部及び前記先羽根係止部を駆動するアクチュエータ（５）と、を備える、
フォーカルプレンシャッタである。
【０００７】
上記構成のフォーカルプレンシャッタでは、アクチュエータがレリーズレバー係止部及び先羽根係止部の双方を駆動する構成としている。そのため、レリーズレバー係止部及び先羽根係止部をそれぞれ駆動するアクチュエータを別々に備える従来構成と比較して、アクチュエータの数を減少させた構成とすることができる。これにより、複数のアクチュエータを搭載するためのスペースが不要となり、比較的小型のフォーカルプレンシャッタを構成することが可能となる。また、従来構成と比較して少ない部品でフォーカルプレンシャッタを構成することができるため、比較的安価なフォーカルプレンシャッタを構成することができる。
【０００８】
上記フォーカルプレンシャッタにおいて、好ましくは、
前記アクチュエータは、前記レリーズレバー係止部と前記先羽根係止部とを同時に駆動する。
【０００９】
上記のフォーカルプレンシャッタによれば、１つのアクチュエータがレリーズレバー係止部及び先羽根係止部を駆動可能であるため、比較的簡易な制御により、レリーズレバー係止部及び先羽根係止部を駆動することができる。また、レリーズレバー係止部及び先羽根係止部を駆動する消費電力を低減することなどが可能となる。
【００１０】
上記フォーカルプレンシャッタにおいて、好ましくは、
前記アクチュエータ（５）は、回動の中心となる回転軸を有し、
前記レリーズレバー係止部（５ａ）及び前記先羽根係止部（５ｂ）は、前記回転軸を中心に回動する。
【００１１】
上記のフォーカルプレンシャッタによれば、レリーズレバー係止部及び前記先羽根係止部を比較的容易に制御可能な構成とすることができる。
【００１２】
上記フォーカルプレンシャッタにおいて、好ましくは、
前記レリーズレバー係止部（５ａ）及び前記先羽根係止部（５ｂ）は、それぞれ前記アクチュエータから腕状に延びる部材であって、
前記レリーズレバー係止部と前記先羽根係止部とは、前記回転軸の延びる方向で異なる位置に配置される。
【００１３】
上記のフォーカルプレンシャッタによれば、１つのアクチュエータを用いた構成において、レリーズレバー係止部及び先羽根係止部を比較的容易な構成で駆動可能にすることができる。
【００１４】
本発明は、上記いずれかのフォーカルプレンシャッタを備える撮像装置を含む。
【００１５】
上記の撮像装置によれば、従来構成と比較して、比較的小型で安価なフォーカルプレンシャッタを備える撮像装置を構成することができる。
【図面の簡単な説明】
【００１６】
【図１】図１は、開口部を全開にし、先羽根を係止した状態のフォーカルプレンシャッタの平面図である。
【図２】図２は、開口部を全開にし、先羽根の係止を解除したフォーカルプレンシャッタの平面図である。
【図３】図３は、開口部を先羽根で覆った状態のフォーカルプレンシャッタの平面図である。
【図４】図４は、開口部を先羽根で覆い、レリーズレバーを係止した状態のフォーカルプレンシャッタの平面図である。
【図５】図５は、開口部を先羽根で覆い、レリーズレバーの係止を解除した状態のフォーカルプレンシャッタの平面図である。
【図６】図６は、レリーズ後、羽根が走行している状態のフォーカルプレンシャッタの平面図である。
【図７】図７は、羽根の走行が完了した状態のフォーカルプレンシャッタの平面図である。
【図８】図８は、羽根の走行が完了し、先羽根を係止した状態のフォーカルプレンシャッタの平面図である。
【図９】図９は、図１における駆動機構部の拡大図である。
【図１０】図１０は、図２における駆動機構部の拡大図である。
【図１１】図１１は、図３における駆動機構部の拡大図である。
【図１２】図１２は、図４における駆動機構部の拡大図である。
【図１３】図１３は、図５における駆動機構部の拡大図である。
【図１４】図１４は、図６における駆動機構部の拡大図である。
【図１５】図１５は、図７における駆動機構部の拡大図である。
【図１６】図１６は、図８における駆動機構部の拡大図である。
【発明を実施するための形態】
【００１７】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００１８】
＜１．実施形態＞
本実施形態のフォーカルプレンシャッタは、１つのアクチュエータがレリーズレバー係止部と先羽根係止部とを駆動可能にしている点を特徴のひとつとしている。以下、本実施形態のフォーカルプレンシャッタについて、図面を参照しながら具体的に説明する。
【００１９】
図１〜図８は、本実施形態のフォーカルプレンシャッタ１０の平面図である。図９〜図１６は、本実施形態のフォーカルプレンシャッタ１０における駆動機構部４の周辺の拡大図であり、それぞれ図１〜図８に対応する。これらの図は、それぞれ特定の状態を示している。それぞれの状態については、動作の説明において具体的に説明する。
【００２０】
図示されるように、本実施形態のフォーカルプレンシャッタ１０は、地板１、補助地板１ｂ、中間板１ｃ、先羽根２、後羽根３、駆動機構部４を含んで構成される。駆動機構部４は、アクチュエータ５、レリーズレバー６、及び駆動ピン７を含んで構成される。なお、フォーカルプレンシャッタ１０では、駆動機構部４のアクチュエータ５の構成以外は、従来の構成と同様である。
【００２１】
＜地板１、補助地板１ｂ、中間板１ｃ＞
地板１には、露光のための露光開口となる、矩形状の開口部１ａが形成されている。地板１と対向する位置には、所定の空間を隔てて地板１と類似した大きさの補助地板１ｂが配置されており、地板１と補助地板との間には羽根室が形成されている。補助地板１ｂには、地板１と同様の開口部が形成されている。地板１と補助地板１ｂとの間には中間板１ｃが配置される。これにより、地板１と中間板１ｃとの間、及び補助地板１ｂと中間板１ｃとの間にそれぞれ区分けされた羽根室が形成される。これらの区分けされた羽根室には、それぞれ先羽根２及び後羽根３、並びにアーム（符号省略）が配置される。地板１には、駆動機構部４などが搭載される。
【００２２】
＜先羽根２＞
先羽根２は、それぞれが短冊状に形成された複数の羽根部材を含んで構成される。このように、先羽根２は複数の羽根部材を含んで構成されるため「先羽根群」と呼ばれることがある。先羽根２は、アーム（符号省略）を介して駆動機構部４により駆動され、開口部１ａにより画定される露光開口（画枠）を開閉するよう動作する。より具体的には、先羽根２は、駆動ピン７の移動に伴い、アームを介して駆動される。
【００２３】
＜後羽根３＞
後羽根３は、それぞれが短冊状に形成された複数の羽根部材を含んで構成される。このように、後羽根３は複数の羽根部材を含んで構成されるため「後羽根群」と呼ばれることがある。後羽根３は、アーム（図示省略）を介して駆動機構部４により駆動され、開口部１ａにより画定される露光開口（画枠）を開閉するよう動作する。より具体的には、後羽根３は、後羽根用の駆動ピン（図示省略）の移動に伴いアームを介して駆動されるが、当該動作については従来同様であるため具体的な説明を省略する。
【００２４】
＜駆動機構部４＞
駆動機構部４は、先羽根２及び後羽根３を駆動し、開口部１ａの開口状態を制御する。駆動機構部４は、ばねによる付勢力、及び電磁石と永久磁石とを用いることで発生する吸着力及び反発力を駆動力として、先羽根２及び後羽根３を駆動する。駆動機構部４は、アクチュエータ５、レリーズレバー６、及び駆動ピン７を含んで構成される。
【００２５】
＜レリーズレバー６＞
レリーズレバー６は、レリーズ時に回動することで先羽根２及び後羽根３の走行を開始させる。レリーズレバー６は、地板１上に配置された軸を中心として回動可能に配置される。レリーズレバー６は、端部６ａがレリーズレバー係止部５ａにより係止されることで動作が規制される。より具体的には、アクチュエータ５のレリーズレバー係止部５ａが端部６ａに接する状態にあるとき、レリーズレバー６は動作が規制される。一方、アクチュエータ５のレリーズレバー係止部５ａが端部６ａから退避した（離れた）状態にあるとき、レリーズレバー６は動作可能な状態となり、レリーズにより先羽根２及び後羽根３を駆動する。具体的には、レリーズレバー６は、先羽根２を駆動する駆動ピン７、及び後羽根３を駆動する駆動ピン（図示省略）を動作させることで、先羽根２及び後羽根３を駆動する。
【００２６】
＜駆動ピン７＞
駆動ピン７は、先羽根２に連結されたアームに連結される。駆動ピン７が動作すると、アームを介して先羽根２が動作する。駆動ピン７は、従来構成のフォーカルプレンシャッタ同様、電磁アクチュエータ及びばねなどにより駆動される。駆動ピン７はレリーズ時に時計回り方向に動作し、これに伴い先羽根２が走行する。駆動ピン７は、先羽根係止部５ｂにより係止されることで、先羽根２が開口部１ａを開放した状態で、動作を規制される。より具体的には、アクチュエータ５の先羽根係止部５ｂが駆動ピン７の軌跡内にある状態にあるとき、駆動ピン７は動作が規制される。一方、アクチュエータ５の先羽根係止部５ｂが駆動ピン７の軌跡から退避した（離れた）状態にあるとき、駆動ピン７は動作可能な状態となり、レリーズにより先羽根２を駆動する。なお、フォーカルプレンシャッタ１０は、レリーズ時に後羽根３を駆動する駆動ピン（図示省略）を有するが、当該構成は従来同様であるため具体的な説明を省略する。なお、駆動ピン７は、本発明における「先羽根駆動部」の一構成例である。
【００２７】
＜アクチュエータ５＞
アクチュエータ５は、コイルを用いた電磁石と永久磁石とを含み、通電により動作するよう構成される。アクチュエータ５は、地板１上の回動軸を中心に回動する。アクチュエータ５には、レリーズレバー係止部５ａと先羽根係止部５ｂとが腕状に延びている。先羽根係止部５ｂは、より具体的には、アクチュエータ５から延びる腕部５ｂ３を挟み込む第１端５ｂ１と、駆動ピン７と当接する第２端５ｂ２とを有する。なお、先羽根係止部５ｂは、アクチュエータ５から直接延びる腕状部分で構成されてもよい。レリーズレバー係止部５ａ及び前記先羽根係止部５ｂは、それぞれアクチュエータ５から腕状に延びる部分であって、軸方向において異なる位置に配置されている（図９〜図１６参照）。
【００２８】
レリーズレバー係止部５ａは、レリーズレバー６の端部６ａに接する状態と、端部６ａから退避した状態とで切り替えられる。レリーズレバー係止部５ａは、レリーズレバー６の端部６ａに接する状態にあるときに、レリーズレバー６の動作を規制する。
【００２９】
先羽根係止部５ｂは、駆動ピン７の軌跡内にある状態と、駆動ピン７の軌跡から退避した状態とで切り替えられる。先羽根係止部５ｂは、駆動ピン７の軌跡内にある状態において、駆動ピン７が時計回り方向の終端位置から、反時計回り方向に移動することを規制する。これにより、先羽根係止部５ｂは、先羽根２が開口部１ａを開放した状態から閉じる状態へと変化することを規制する。
【００３０】
アクチュエータ５が第１の状態にあるとき、レリーズレバー係止部５ａはレリーズレバー６を係止し、先羽根係止部５ｂは駆動ピン７を係止する状態となる（図１、図４、図８、図９、図１２、及び図１６の状態）。アクチュエータ５が、第１の状態から時計回り方向に回動した第２の状態にあるとき、レリーズレバー係止部５ａはレリーズレバー６の端部６ａから退避し、先羽根係止部５ｂは駆動ピン７の軌跡から退避した状態となる（図２、図３、図５、図６、図７、図１０、図１１、図１３、図１４、及び図１５の状態）。
【００３１】
＜フォーカルプレンシャッタの動作＞
次に、フォーカルプレンシャッタ１０の動作について説明する。
【００３２】
図１及び図９は、先羽根２及び後羽根３が開口部１ａを覆わず、開口部１ａが開放された状態である。この状態は、ライブビューと呼ばれ、撮像素子が被写体を連続的に撮像可能であるため、動画を撮像したり、画像を確認しながら静止画を撮像したりすることが可能である。この状態では、アクチュエータ５は第１の状態にあり、先羽根係止部５ｂが駆動ピン７を係止することで、先羽根２の動作を規制している。
【００３３】
この図１及び図９の状態でレリーズが行われると、まず、アクチュエータ５が動作して第２の状態となり、図２及び図１０に示された状態となる。これにより、先羽根係止部５ｂによる駆動ピン７の係止が解除されるため、駆動ピン７が反時計回り方向に移動し、図３及び図１１に示された状態となる。次に、さらにアクチュエータ５が動作して第１の状態となり、図４及び図１２に示された、レリーズレバー係止部５ａによりレリーズレバー６が係止された状態となる。
【００３４】
ここで、先羽根２及び後羽根３を走行させるため、アクチュエータ５が動作して第２の状態へと変化する（図５及び図１３）。すると、レリーズレバー６が動作して先羽根２及び後羽根３が順に駆動されて、先羽根２と後羽根３とが所定幅のスリットを形成しながら走行する（図６及び図１４）。つまり、撮像が行われる。先羽根２及び後羽根３が走行を完了すると（図７及び図１５）、アクチュエータ５が動作して第２の状態から第１の状態へと変化して駆動ピン７の動作を規制する、図８及び図１６の状態になる。この状態から、先羽根２及び後羽根３が走行前の状態に戻ろうとするが、駆動ピン７が先羽根係止部５ｂにより係止されているため、先羽根２は走行完了位置からの移動を規制される。これにより、開口部１ａが開放された状態となり、図１及び図９のライブビューの状態となる。
【００３５】
このように本実施形態のフォーカルプレンシャッタ１０では、アクチュエータ５がレリーズレバー係止部５ａ及び先羽根係止部５ｂの双方を駆動する構成としているため、レリーズレバー係止部５ａ及び先羽根係止部５ｂをそれぞれ駆動するアクチュエータ５を別々に備える従来構成と比較して、アクチュエータの数を減少させた構成とすることができる。これにより、複数のアクチュエータを搭載するためのスペースが不要となり、比較的小型のフォーカルプレンシャッタを構成することが可能となる。また、従来構成と比較して少ない部品でフォーカルプレンシャッタを構成することができるため、比較的安価なフォーカルプレンシャッタを構成することができる。
【００３６】
また、フォーカルプレンシャッタ１０では、アクチュエータ５がレリーズレバー係止部５ａと先羽根係止部５ｂとを同時に駆動する構成としている。これにより、比較的簡易な制御により、レリーズレバー係止部５ａ及び先羽根係止部５ｂを駆動することができる。また、１つのアクチュエータ５により駆動するため、レリーズレバー係止部５ａ及び先羽根係止部５ｂを駆動する消費電力を低減することなどが可能となる。
【００３７】
また、フォーカルプレンシャッタ１０では、レリーズレバー係止部５ａ及び先羽根係止部５ｂがアクチュエータ５の回転軸を中心として動作するため、レリーズレバー係止部５ａ及び前記先羽根係止部５ｂを比較的容易に制御可能な構成とすることができる。
【００３８】
また、フォーカルプレンシャッタ１０では、レリーズレバー係止部５ａ及び先羽根係止部５ｂが、アクチュエータ５の軸方向の異なる位置に配置された腕状に延びる部材を含んで構成されている。そのため、１つのアクチュエータを用いた構成において、レリーズレバー係止部５ａ及び先羽根係止部５ｂを比較的容易な構成で駆動可能にすることができる。
【００３９】
また、本実施形態のフォーカルプレンシャッタ１０は、撮像素子を含む撮像装置の構成の一部として採用される。この場合、撮像装置は、ＣＣＤまたはＣ−ＭＯＳなどで形成された光電変換素子である撮像素子を搭載した基板を含む構成となる。
【００４０】
＜２．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００４１】
例えば、上記実施形態のフォーカルプレンシャッタ１０では、先羽根係止部５ｂは直接アクチュエータ５に連結されていない構成としていたが、先羽根係止部５ｂが直接アクチュエータ５に連結される構成としてもよい。また、フォーカルプレンシャッタ１０では、レリーズレバー係止部５ａが直接アクチュエータ５に連結された構成としていたが、レリーズレバー係止部５ａは、間接的にアクチュエータ５に連結される構成としてもよい。
【００４２】
また、上記実施形態では、先羽根２を係止する構成について説明したが、後羽根３を係止する構成としても、同様に開口部１ａを開放したライブビューの状態とすることができる。ただし、この場合にはレリーズの羽根の走行動作に時間を要することとなるため、先羽根２を係止する構成とすることが好ましい。
【００４３】
また、上記実施形態のフォーカルプレンシャッタ１０では、レリーズレバー６が１つの構成を例に挙げて説明したが、互いに同軸に配置された、先羽根２に連結されたレバーと、先羽根２に対して駆動力となる付勢力を与える駆動ばねから付勢力を受けるレバーとの２つのレバーを備えた構成においても、本発明は同様に適用可能である。当該構成の場合、本発明におけるレリーズレバー係止部５ａは、先羽根２に連結されたレバーを係止するような構成となる。
【産業上の利用可能性】
【００４４】
本発明は、アクチュエータの数を低減させたフォーカルプレンシャッタなどとして好適に利用される。
【符号の説明】
【００４５】
１…地板
１ａ…開口部
１ｂ…補助地板
１ｃ…中間板
２…先羽根
３…後羽根
４…駆動機構部
５…アクチュエータ
５ａ…レリーズレバー係止部
５ｂ…先羽根係止部
６…レリーズレバー
７…駆動ピン
１０…フォーカルプレンシャッタ
【図１】
2019056891.tif 000003
【図２】
2019056891.tif 000004
【図３】
2019056891.tif 000005
【図４】
2019056891.tif 000006
【図５】
2019056891.tif 000007
【図６】
2019056891.tif 000008
【図７】
2019056891.tif 000009
【図８】
2019056891.tif 000010
【図９】
2019056891.tif 000011
【図１０】
2019056891.tif 000012
【図１１】
2019056891.tif 000013
【図１２】
2019056891.tif 000014
【図１３】
2019056891.tif 000015
【図１４】
2019056891.tif 000016
【図１５】
2019056891.tif 000017
【図１６】
2019056891.tif 000018